(57)【要約】【課題】ラベル等に簡単に保持可能で、使用終了後は、ラベルから容易に取り外して回収することができる安価なＩＣタグインレットを提供する。【解決手段】表面に離型加工がなされたシート４の裏面側を、接着層３を介してＩＣタグ本体２の表裏両面にそれぞれ付着させたものからなる。【選択図】図１
2008033698.tif 000002
【特許請求の範囲】
【請求項１】
離型加工がなされた表裏両面を備えたものであることを特徴とするＩＣタグインレット。
【請求項２】
表面に前記離型加工がなされたシートの裏面側を、接着層を介してＩＣタグ本体の表裏両面にそれぞれ付着させたものであることを特徴とする請求項１に記載のＩＣタグインレット。
【請求項３】
前記離型加工は、シリコン加工またはテフロン（登録商標）加工からなっていることを特徴とする請求項１または請求項２に記載のＩＣタグインレット。
【請求項４】
基材シートと、前記基材シートの裏面全体に設けられた粘着剤層と、前記粘着剤層上に貼着された、請求項１〜請求項３のいずれかに記載の前記ＩＣタグインレットと、前記粘着剤層の表面全体を被覆する剥離紙とからなるものであることを特徴とするＩＣタグインレットを備えたラベル。
【請求項５】
基材シートと、前記基材シートの表面全体に設けられた第１粘着剤層と、前記第１粘着剤層上に貼着された、請求項１〜請求項３のいずれかに記載の前記ＩＣタグインレットと、裏面に積層された第２粘着剤を介して前記第１粘着剤層に付着された表面シートと、前記基材シートの裏面に設けられた第３粘着剤層と、前記第３粘着剤層の表面全体を被覆する剥離紙とからなり、前記表面シートには、前記ＩＣタグインレットの一側縁の外側に対応する部分に、直線状の切り込みが設けられているものであることを特徴とするＩＣタグインレットを備えたラベル。
【発明の詳細な説明】
【技術分野】
【０００１】
本発明は、ＩＣタグインレット、並びに該ＩＣタグインレットを備えたラベルに関するものである。
【背景技術】
【０００２】
近年、物流分野においては、大量の管理情報を迅速かつ正確に読み書き可能なＩＣタグインレットが、ラベルや配送伝票に保持され、それらと共に物品等に貼り付けられ、使用されるようになってきている。ところが、ＩＣタグインレットは、ラベルや配送伝票と比べるとかなり高価であるため、これをラベルや配送伝票とともに使い捨てにすると必然的にコストが高くつくという問題を生じていた。
【０００３】
また、将来、安価なＩＣタグインレットが開発され、ラベル等とともに使い捨て可能になると、莫大な数のＩＣタグインレットが短期間に使用され、廃棄されることになる。この場合、ＩＣタグインレットのアンテナやチップ部には銀やアルミニウム、銅等の重金属が使用されているので、これらが環境中に散乱されると、環境汚染を招くおそれがあり、また、資源の無駄遣いとなるという問題が生じる。
【０００４】
このため、近年、使用済みのＩＣタグインレットを回収し、リユースすることで、１個のＩＣタグインレットを多数回にわたって使用しようとする試みが注目されている。
かかる試みを実現する手段として、例えば、ＩＣタグインレットを基材シートの一方の面に固着するとともに、基材シートの他方の面またはＩＣタグインレットが固着された面に粘着剤を積層することによってラベルを形成し、このラベルを物品等に貼着して使用し、使用後、ラベルを剥がして回収し、再利用するようにしたものがある（特許文献１参照）。しかし、この構成では、ＩＣタグインレットとラベルが常に一体化されているので、同一のラベルを多数回使用する場合には適しているが、ＩＣタグインレットをその都度異なる種類のラベルに備えて再利用する場合には、ラベルからＩＣタグインレットを取り外さねばならず、このとき、ＩＣタグインレットが基材シートに固着されているので、取り外し作業が面倒である。
【０００５】
そして、ラベルの基材シートからＩＣタグインレットを容易に回収したものとして、例えば、基材シートの裏面の凹部内にＩＣタグインレットを収容し、裏面の凹部を除く領域に再剥離型接着剤を積層したラベルを形成し、ラベルを物品等に貼着して使用し、使用後、ラベルを剥がしてＩＣタグインレットを回収し、再利用するようにしたものがある（特許文献２参照）。しかし、この構成では、ラベルの物品等への貼り付け時、あるいは、一旦物品等に貼着されたラベルが不意に剥がれたときに、ＩＣタグインレットがラベルから簡単に脱落し、紛失してしまうおそれがある。
【０００６】
また、例えば、ＩＣタグインレットを防水性および防汚性に優れたポリイミド、ポリエチレンテレフタレート等の樹脂で被覆し、基材シートの裏面に水再分散型感圧性接着剤を積層するとともに、この接着剤層に前記ＩＣタグインレットを貼着することによって粘着シートを形成し、粘着シートを物品等に貼り付けて使用し、使用後、粘着シートを剥がして回収し、水浸することで、基材シートとＩＣタグインレットを分離するようにしたものがある（特許文献３参照）。しかし、この構成では、ＩＣタグインレットの加工コストが高くつくという問題があった。
【０００７】
【特許文献１】実用新案登録第３１２００５２号公報
【特許文献２】特開平１０−１２３９５３号公報
【特許文献３】特開２００６−７７１９４号公報
【発明の開示】
【発明が解決しようとする課題】
【０００８】
したがって、本発明の課題は、ラベル等に簡単に保持可能で、使用終了後、ラベルから容易に取り外して回収することができる安価なＩＣタグインレットを提供することにある。
【課題を解決するための手段】
【０００９】
上記課題を解決するため、第１発明は、離型加工がなされた表裏両面を備えたものであることを特徴とするＩＣタグインレットを構成したものである。
【００１０】
第１発明の構成において、前記ＩＣタグインレットは、表面に前記離型加工がなされたシートの裏面側を、接着層を介してＩＣタグ本体の表裏両面にそれぞれ付着させたものであることが好ましい。
また、前記離型加工は、シリコン加工またはテフロン（登録商標）加工からなっていることが好ましい。また、表面に離型加工がなされたシートとして、片面に離型加工がなされた剥離紙を使用することが好ましい。
【００１１】
上記課題を解決するため、また、第２発明は、基材シートと、前記基材シートの裏面全体に設けられた粘着剤層と、前記粘着剤層上に貼着された、上記ＩＣタグインレットと、前記粘着剤層の表面全体を被覆する剥離紙とからなるものであることを特徴とするＩＣタグインレットを備えたラベルを構成したものである。
【００１２】
上記課題を解決するため、また、第３発明は、基材シートと、前記基材シートの表面全体に設けられた第１粘着剤層と、前記第１粘着剤層上に貼着された、請求項１〜請求項３のいずれかに記載の前記ＩＣタグインレットと、裏面に積層された第２粘着剤を介して前記第１粘着剤層に付着された表面シートと、前記基材シートの裏面に設けられた第３粘着剤層と、前記第３粘着剤層の表面全体を被覆する剥離紙とからなり、前記表面シートには、前記ＩＣタグインレットの一側縁の外側に対応する部分に、直線状の切り込みが設けられているものであることを特徴とするＩＣタグインレットを備えたラベルを構成したものである。
【発明の効果】
【００１３】
本発明によれば、ＩＣタグインレットは離型加工が施された表裏両面を備えているので、このＩＣタグインレットを粘着剤層上に貼着することによって、一時的に保持することができる一方、使用終了後、該粘着剤層から簡単に剥がして回収することができる。したがって、本発明のＩＣタグインレットを、粘着剤層を介してラベルに確実に保持して使用し、使用後は、ラベルから簡単に剥がして回収してリユースすることができる。
【発明を実施するための最良の形態】
【００１４】
以下、添付図面を参照して本発明の好ましい実施例について説明する。図１は、本発明の１実施例によるＩＣタグインレットを示す図であり、（Ａ）は平面図、（Ｂ）は（Ａ）のＸ−Ｘ線に沿った断面図である。
図１を参照して、本発明によるＩＣタグインレット１は、ＩＣタグインレット本体２を有している。ＩＣタグインレット本体２は、シート基材上に、アンテナ６と、アンテナ６に接続されたＩＣチップモジュール７とが設けられたものからなり、非接触でデータを読み書きすることができる。
【００１５】
そして、ＩＣタグ本体２の表裏両面には、それぞれ、表面に離型加工がなされた剥離紙の裏面側が、接着層を介して付着せしめられ、それによって、表裏両面に離型加工がなされたＩＣタグインレットが形成される。
この場合、剥離紙を使用する代わりに、表面に離型加工がなされた任意のシートを使用することができる。また、離型加工としては、様々の公知の離型加工が適用可能であるが、シリコン加工またはテフロン（登録商標）加工を適用することが好ましい。
【００１６】
こうして、本発明のＩＣタグインレットにおいては、ＩＣタグインレットの表裏両面に離型加工が施されているので、このＩＣタグインレットを粘着剤層上に貼着することによって、一時的に保持することができる一方、使用終了後、該粘着剤層から簡単に剥がして回収することができる。したがって、ＩＣタグインレットを、ラベル等の裏面に設けた粘着剤層に保持し、使用後、ラベル等から簡単に回収し、リユースすることができる。
また、本発明のＩＣタグインレットは、ＩＣタグインレット本体の表裏両面に剥離紙を接着することによって作製することができるので、製造コストが安くて済む。
【００１７】
図２は、本発明の１実施例によるＩＣタグインレットを備えたラベルの平面図である。図２に示すように、本発明のＩＣタグインレットを備えたラベルは、基材シート１０と、基材シート１０の裏面１０ｂの全体に設けられた粘着剤層と、粘着剤層上に貼着された上述のＩＣタグインレット１と、粘着剤層の表面全体を被覆する剥離紙１１とからなっている。剥離紙１１は、粘着剤層を覆う面に離型加工がなされている。
【００１８】
このラベルは、剥離紙１１を基材シート１０から剥がした後、基材シート１０を、裏面１０ｂにＩＣタグインレット１が貼着された状態で、物品等に貼り付けることによって使用される。使用後は、基材シート１０を物品等から剥がすとともに、ＩＣタグインレット１を粘着剤層から取り外すことで、ＩＣタグインレットを簡単に回収することができる。回収されたＩＣタグインレット１は、再び、新たな別の基材シートの裏面の粘着剤層上に貼着され、リユースされる。
【００１９】
図３は、本発明の１実施例によるＩＣタグインレットを備えたラベルを示す図であり、（Ａ）は平面図であり、（Ｂ）は（Ａ）のＹ−Ｙ線に沿った断面図であり、（Ｃ）、（Ｄ）はラベルの使用状態を示す図である。図３（Ａ）、（Ｂ）に示すように、本発明のＩＣタグインレットを備えたラベル２０は、基材シート２１と、基材シート２１の表面全体に設けられた第１粘着剤層２２と、第１粘着剤層２２上に貼着された、上述のＩＣタグインレット１を備えている。そして、第１粘着剤層２２には、表面シート２４が、その裏面に積層された第２粘着剤２３を介して付着される。また、基材シート２１の裏面には第３粘着剤層２５が設けられ、第２粘着剤層２５の表面全体が剥離紙２６によって被覆される。この場合、第２粘着剤２３は、第１粘着剤２２よりも粘着力が弱くなっていることが好ましく、それによって、使用済のＩＣタグインレット１を回収する際に、ＩＣタグインレット１と表面シート２４との分離が容易になる。
また、表面シート２４には、ＩＣタグインレット１の一側縁１ａの外側に対応する部分に、直線状の切り込み２７が設けられている。
【００２０】
このラベル２０は、剥離紙２６を剥がした後、例えば、図３（Ｃ）に示すように、商品タグ２８の裏面に貼着されて使用される。図３（Ｃ）中、２９は、商品タグ２８に設けられた切取線であり、この切取線２９によって、商品タグ２８におけるラベル２０が貼着された部分３０を切り取ることができるようになっている。
こうして、ラベル２０の使用後は、切取線２９によって商品タグ２８からラベル貼着部分３０を切り離し、図３（Ｄ）に示すように、表面シート２４を切り込み２７から剥がすことにより、ＩＣタグインレット１を簡単に回収することができる。回収されたＩＣタグインレット１は、再び、新たな別のラベル内に組み込まれてリユースされる。
【図面の簡単な説明】
【００２１】
【図１】本発明の１実施例によるＩＣタグインレットを示す図であり、（Ａ）は平面図であり、（Ｂ）は（Ａ）のＸ−Ｘ線に沿った断面図である。
【図２】本発明の１実施例によるＩＣタグインレットを備えたラベルの平面図である。
【図３】本発明の別の実施例によるＩＣタグインレットを備えたラベルを示す図であり、（Ａ）は平面図であり、（Ｂ）は（Ａ）のＹ−Ｙ線に沿った断面図であり、（Ｃ）、（Ｄ）はラベルの使用状態を示す図である。
【符号の説明】
【００２２】
１  ＩＣタグインレット
２  ＩＣタグインレット本体
３  接着層
４  表面シート
５  離型加工
６  アンテナ
７  ＩＣチップモジュール
【図１】
2008033698.tif 000003
【図２】
2008033698.tif 000004
【図３】
2008033698.tif 000005